(57)【特許請求の範囲】
【請求項１】
紙箱の胴体の両端を閉じる端板が夫々二枚の対向フラップと、対向フラップ上に重ねられ接着剤により接着される下フラップと、対向フラップ及び下フラップ上に重ねられ接着剤により接着される上フラップとを備えた紙箱において、前記下フラップの先端部にその先端縁と交わる切れ線により舌状の切除片が、前記下フラップと前記上フラップとが重なる範囲内に形成され、前記下フラップと前記上フラップとの間は前記切除片のみによって接着されたことを特徴とする折り畳み可能な紙箱。
【請求項２】
切れ線が切り取りミシン線であることを特徴とする請求項１に記載の折り畳み可能な紙箱。
【請求項３】
切れ線が半切れ線であることを特徴とする請求項１に記載の折り畳み可能な紙箱
【請求項４】
上フラップの先端縁に突片が設けられたことを特徴とする請求項１に記載の折り畳み可能な紙箱。
【発明の詳細な説明】
【０００１】
【発明の属する技術分野】
本発明は、内容物であるキッチンペーパー、ティッシュペーパー等が費消された後に簡易に折り畳んで廃棄することができるようにした紙箱に関する。
【０００２】
【従来の技術】
実開昭６１−６９０７８号公報は使用後に容易に折り畳むことができる紙箱について開示する。この紙箱は各端板にジッパーを形成し、このジッパーを剥ぎ取ることにより端板を分解し、胴体を扁平に折り畳むことができる。
【０００３】
【発明が解決しようとする課題】
実開昭６１−６９０７８号の紙箱は、上フラップのジッパーのミシン線は箱内へと貫通しないが、ジッパーのミシン線が箱外に露呈するので、見栄えが悪くなり、またジッパーを誤って引き裂いてしまうという欠点があり、また紙箱が上積みされた際にジッパーの箇所から紙箱が破壊されやすいという欠点がある。
【０００４】
本発明は、このような従来の問題点を解決することを目的とする。
【０００５】
【課題を解決するための手段】
上記問題点を解決するため、請求項１に係る発明は、紙箱の胴体（１）の両端を閉じる端板（２，２）が夫々二枚の対向フラップ（１８，１８）と、対向フラップ（１８，１８）上に重ねられ接着される下フラップ（１９）と、対向フラップ（１８，１８）及び下フラップ（１９）上に重ねられ接着される上フラップ（２０）とを備えた折り畳み可能な紙箱において、前記下フラップ（１９）の先端部にその先端縁（１９ａ）と交わる切れ線（２６，３５）により舌状の切除片（２７，３６）が、前記下フラップと前記上フラップとが重なる範囲内に形成され、前記下フラップと前記上フラップとの間は前記切除片のみによって接着された折り畳み可能な紙箱を採用する。
【０００６】
この請求項１に係る発明によれば、上フラップ（２０）が切除片（２７，３６）の切れ線（２６，３５）を覆い外から見えないようにする。従って、切れ線（２６，３５）を外部から遮断し塵埃等の箱内への侵入を防止することができ、また、紙箱の見栄えが向上する。また、切れ線（２６，３５）が下フラップ（１９）の先端縁（１９ａ）と交わるので、接着剤が多少多くても対向フラップ（１８，１８）側に食み出させることができ、従って上フラップ（２０）を下フラップ（１９）から剥がし取りやすくなり、簡易に紙箱を折り畳むことができる。
【０００７】
また、請求項２に係る発明は、切れ線が切り取りミシン線（２６）である請求項１に記載の折り畳み可能な紙箱を採用する。
【０００８】
この請求項２に係る発明によれば、切除片が切り取りミシン線（２６）により形成されるから、上フラップ（２０）を下フラップ（１９）から剥がし取りやすくなる。
【０００９】
また、請求項３に係る発明は、切れ線が半切れ線（３５）である請求項１に記載の折り畳み可能な紙箱を採用する。
【００１０】
この請求項３に係る発明によれば、切れ線が半切れ線（３５）であるから下フラップ（１９）が紙箱の内外の遮断状態を阻害しない。従って、塵埃等の箱内への侵入を防止することができる。
【００１１】
また、請求項４に係る発明は、上フラップ（２０）の先端縁に突片（２９）が設けられた請求項１に記載の折り畳み可能な紙箱を採用する。
【００１２】
この請求項４に係る発明によれば、指の爪先を上フラップ（２０）の先端の突片（２９）に掛けることにより、上フラップ（２０）を下フラップ（１９）及び対向フラップ（１８，１８）から剥がしやすくすることができる。
【００１３】
【発明の実施の形態】
以下、本発明の実施の形態を添付図面を参照して説明する。
【００１４】
＜実施の形態１＞
図１に示すように、この紙箱は、角筒状の胴体１と、胴体１の両端を閉じる端板２とを具備し、胴体１及び端板２で囲まれる直方体の空洞内にキッチンペーパー、ティッシュペーパー等の内容物（図示せず）を収納している。胴体１には開封用の蓋片３を形成するためのミシン線４，５が入れられており、蓋片３をミシン線４，５上で破断させて折り起こすことにより内容物を紙箱から取り出すことができる。
【００１５】
この紙箱は、図５に示すような紙製のブランク板を折り曲げたり接着したりすることにより組み立てられる。このブランク板は、次のように構成される。
【００１６】
すなわち、外前板６と、上板７と、後板８と、底板９と、内前板１０とが各山折れ線１１，１２，１３，１４を介して一方向に連接されることにより胴体１が構成される。外前板６と上板７には蓋片３を形成するミシン線５が形成され、上板７には蓋片３のヒンジとなる谷折れ線１５が形成される。内前板１０には蓋片３に形成される摘み片１６の先端の指挿入穴を閉じるための舌片１７が形成される。
【００１７】
また、各端板２，２は、一対の対向フラップ１８，１８と、下フラップ１９と、上フラップ２０とを具備し、一対の対向フラップ１８，１８は外前板６と後板８とに夫々山折れ線２１，２２を介し連接され、下フラップ１９は底板９に山折れ線２３を介し連接され、上フラップ２０は上板７に山折れ線２４を介し連接される。
【００１８】
一対の対向フラップ１８，１８の表面には接着剤が付きやすいように複数本のミシン線２５がブランク板の紙に対し半切れ状に刻設される。一対の対向フラップ１８，１８の表面には上下のフラップ２０，１９の裏面が夫々接触し、ホットメルト接着剤等の所望の接着剤により接着される。
【００１９】
下フラップ１９の先端部には、その先端縁１９ａと交わる切れ線２６により切除片２７が形成される。切除片２７は例えば下フラップ１９の先端部に二箇所にわたって舌状に形成される。切除片２７を形成する切れ線２６は切り取りミシン線として形成され、ミシン目は下フラップ１９の紙をその表裏に貫通する。切除片２７は上フラップ２０と下フラップ１９との接着部となるもので、ホットメルト接着剤等の所望の接着剤が切除片２７の切れ線２６と下フラップ１９の先端縁１９ａとで囲まれた範囲内に塗布される。従って、上フラップ２０を下フラップ１９から剥がすと、切除片２７は切れ線２６上で破断し上フラップ２０の裏面に付着したまま下フラップ１９から分離する。
【００２０】
上フラップ２０の先端縁には、下フラップ１９の表面に被さるように突片２９が必要に応じて設けられる。図２及び図４に示すように、突片２９の存在により指の爪先等を上フラップ２０の先端に引っ掛けやすくなる。
【００２１】
このブランク板を組み立てるには、まず内前板１０と底板９との間の山折れ線１４を山折りし、次に上板７と後板８との間の山折れ線１２を山折りすることで、外前板６を内前板１０上に重ね合わせ、同時に接着剤で接着する。これにより紙箱の胴貼りが完了し、扁平に折り畳まれた紙箱が完成する。この扁平な胴貼りされた紙箱は充填機等に供給され、立体的に折り起こされ、内容物を充填される。
【００２２】
充填機は、扁平な胴貼りされた紙箱に対し、外前板６と上板７との間の山折れ線１１を山折りし、後板８と底板９との間の山折れ線１３を山折りし、紙箱の胴体１を四角筒状に組み立てる。続いて、一方の端板２側の一対の対向フラップ１８，１８及び上下フラップ２０，１９と胴体１との間の山折れ線２１，２２，２４を山折りし、図２及び図３に示すように、下フラップ１９を対向フラップ１８，１８に接着剤３０で接着し、上フラップ２０を対向フラップ１８，１８と下フラップ１９とに夫々接着剤３１，３２で接着する。
【００２３】
次に、他方の未だ組み立てていない端板２側から内容物を紙箱内に挿入し、しかる後この端板２を上記一方の端板２と同様にして組み立て、紙箱として完成させる。
【００２４】
この完成した紙箱を開封するには、外前板６の蓋片３の摘み片１６に指を掛けてミシン線４，５に沿って破断させ、蓋片３を開く。蓋片３は谷折れ線１５をヒンジとして紙箱を開閉し、内容物であるキッチンペーパー等の取り出しが可能になる。
【００２５】
内容物が費消され、紙箱を廃棄するときは次のようにして紙箱を折り畳む。
【００２６】
図６（Ａ）に示すように、上フラップ２０の突片２９と下フラップ１９との間に形成される隙間に指先（図示せず）を挿入して上フラップ２０を下フラップ１９から剥がすようにし、山折れ線２４上で折り起こす。この上フラップ２０の折り起こしに伴い、同図（Ｂ）に示すように、切除片２７は切れ線２６上で破断し、上フラップ２０の裏面に付着したまま下フラップ１９から分離する。また、同時に上フラップ２０は対向フラップ１８，１８からも剥がれて分離する。
【００２７】
次に、同図（Ｃ）に示すように、下フラップ１９を対向フラップ１８，１８から剥がし、山折れ線２３上で折り起こす。
【００２８】
続いて、同図（Ｄ）に示すように、対向フラップ１８，１８を山折れ線２１，２２上で折り起こし、紙箱全体を四角筒状にする。これにより、紙箱を扁平に押し潰すことができ、紙箱は嵩張らない状態とされ廃棄される。
【００２９】
＜実施の形態２＞
この紙箱は図７に示すブランク板を用いて実施の形態１において説明したと同様にして立体的に組み立てられる。
【００３０】
図７に示すように、この紙箱の胴体１の一部を構成する上板７には内容物であるティッシュペーパーを取り出すための開口用蓋３３が切取用のミシン線３４により形成されている。ミシン線３４を破断させることで開口用蓋３３を除去し、そこから内容物であるティッシュペーパーを取り出すことができる。胴体１は底板９に山折れ線１４を介し連接された糊付け片３７を前板６の裏面に接着することにより筒状に組み立てられる。
【００３１】
また、端板２の一部を構成する下フラップ１９の先端部には、その先端縁１９ａと交わる切れ線３５により切除片３６が形成されるが、この切除片３６を形成する切れ線３５は半切れ線として設けられる。半切れ線は下フラップ１９にその紙厚の半分程度の深さで入れられる。切除片３６は上フラップ２０と下フラップ１９との接着部となるもので、ホットメルト接着剤等の所望の接着剤３２（図３参照）が切除片３６の切れ線３５と下フラップ１９の先端縁１９ａとで囲まれた範囲内に塗布される。従って、紙箱を折り畳む際に上フラップ２０を下フラップ１９から剥がすと、切除片３６は紙層間で剥がれて上半分の紙層が上フラップ２０の裏面に付着したまま下フラップ１９から分離し、下半分の紙層が下フラップ１９側に残留する。
【００３２】
なお、上記各実施の形態において、切除片２７，３６を形成する切れ線２６，３５は夫々ミシン線、半切れ線のいずれであってもよいが、ミシン線にすると薄い紙を用いて安定した生産をすることができる。従って、コストを低減し生産性を高めることができるという利点がある。
【００３３】
また、切除片２７，３６を設ける部位は下フラップが上フラップに重なる箇所であればよく、下フラップの端に限定されるものではなく下フラップの中程であってもよい。また、切除片２７，３６の形状も半円形、四角形に限らず、円形、三角形等所望の形状とすることができる。
【００３４】
【発明の効果】
請求項１に係る発明によれば、紙箱の胴体の両端を閉じる端板が夫々二枚の対向フラップと、対向フラップ上に重ねられ接着剤により接着される下フラップと、対向フラップ及び下フラップ上に重ねられ接着剤により接着される上フラップとを備えた紙箱において、前記下フラップの先端部にその先端縁と交わる切れ線により舌状の切除片が、前記下フラップと前記上フラップとが重なる範囲内に形成され、前記下フラップと前記上フラップとの間は前記切除片のみによって接着された折り畳み可能な紙箱であるから、上フラップが切除片の切れ線を覆い外から見えないようにする。従って、切れ線を外部から遮断し塵埃等の箱内への侵入を防止することができ、また、紙箱の見栄えが向上する。また、切れ線が下フラップの先端縁と交わるので、接着剤が多少多くても対向フラップ側に食み出させることができ、従って上フラップを下フラップから剥がし取りやすくなり、簡易に紙箱を折り畳むことができる。
【００３５】
請求項２に係る発明によれば、切れ線が切り取りミシン線である請求項１に記載の折り畳み可能な紙箱であり、切除片が切り取りミシン線により形成されるから、上フラップを下フラップから剥がし取りやすくなる。
【００３６】
請求項３に係る発明によれば、切れ線が半切れ線である請求項１に記載の折り畳み可能な紙箱であり、切れ線が半切れ線であるから下フラップが箱の内外の遮断状態を阻害しない。従って、塵埃等の箱内への侵入を防止することができる。
【００３７】
請求項４に係る発明によれば、上フラップの先端縁に突片が設けられた請求項１に記載の折り畳み可能な紙箱であるから、指の爪先を上フラップの先端の突片に掛けることにより、上フラップを下フラップ及び対向フラップから剥がしやすくすることができる。
【図面の簡単な説明】
【図１】本発明に係る折り畳み可能な紙箱を示す斜視図である。
【図２】上記紙箱の端板を示す立面図である。
【図３】図２中、ＩＩＩ−ＩＩＩ線矢視図である。
【図４】図２中、ＩＶ−ＩＶ線矢視図である。
【図５】上記紙箱の展開平面図である。
【図６】上記紙箱の端板を分解する手順を示す斜視図である。
【図７】本発明に係る紙箱の他の実施の形態を示す展開平面図である。
【符号の説明】
１…胴体
２…端板
１８，１８…対向フラップ
１９…下フラップ
１９ａ…下フラップの先端縁
２０…上フラップ
２６，３５…切れ線
２７，３６…切除片
２９…突片
【図１】
0004890677.tif 000002
【図２】
0004890677.tif 000003
【図３】
0004890677.tif 000004
【図４】
0004890677.tif 000005
【図５】
0004890677.tif 000006
【図６】
0004890677.tif 000007
【図７】
0004890677.tif 000008